(57)【要約】【課題】ニット材で形成したボックス状タイプのマットレス用シーツをクリーニングして納品等する場合に、多大な手間と時間とがかかる折り畳み作業を省く。【解決手段】直方体形状のマットレス２に対しこのマットレス２を覆うように着脱可能に装着されるボックス状タイプのマットレス用シーツ１であって、伸縮可能なニット材により形成され、マットレス２に装着された場合に、マットレス２の上面２ａを覆う表面部３ａと、マットレス２の側面２ｂ，２ｃを覆う側面部３ｂと、マットレス２の下面２ｄを覆う裏面部３ｃとを有するシーツ本体部３と、裏面部３ｃに形成され、シーツ本体部３に対してマットレス２を出し入れ可能な開口部４と、裏面部３ｃの内側に設けられ、表裏反転させることによりシーツ本体部３を収納可能なポケット５と、を備える。【選択図】図１
2010273829.tif 000002
【特許請求の範囲】
【請求項１】
直方体形状のマットレスに対しこのマットレスを覆うように着脱可能に装着されるボックス状タイプのマットレス用シーツであって、
伸縮可能なニット材により形成され、前記マットレスに装着された場合に、前記マットレスの上面を覆う表面部と、前記マットレスの側面を覆う側面部と、前記マットレスの下面を覆う裏面部とを有するシーツ本体部と、
前記裏面部に形成され、前記シーツ本体部に対して前記マットレスを出し入れ可能な開口部と、
前記裏面部の内側に設けられ、表裏反転させることにより前記シーツ本体部を収納可能なポケットと、
を備えることを特徴とするマットレス用シーツ。
【請求項２】
前記ポケットは、伸縮可能な第１ニット材片と第２ニット材片とが重ね合わせて配置され、前記第１ニット材片と前記第２ニット材片との前記開口部の縁部に向けて延出する一対の辺と、前記第１ニット材片の前記開口部の縁部に沿って位置する一方の辺と、前記第２ニット材片の前記開口部の縁部に沿って位置する一方の辺であって前記第１ニット材片の前記一方の辺と重ならない側に位置する辺とが前記裏面部に縫着され、前記第１ニット材片と前記第２ニット材片との前記開口部の縁部に沿って位置する他方の辺が前記裏面部に縫着されていないことを特徴とする請求項１記載のマットレス用シーツ。
【請求項３】
前記第１ニット材片と前記第２ニット材片との前記裏面部に縫着されていない前記他方の辺は、凹状に湾曲する形状に形成されていることを特徴とする請求項２記載のマットレス用シーツ。
【請求項４】
前記マットレスに装着された場合に、前記マットレスの長手方向の両端側の側面の端部に対向して位置する四隅に開口が形成されていることを特徴とする請求項１ないし３のいずれか一項に記載のマットレス用シーツ。
【発明の詳細な説明】
【技術分野】
【０００１】
本発明は、病院用ベッド等で使用されているマットレスや、マットレスの一形態に含まれるエアーマットを覆うようにそのマットレスに着脱可能に装着されるマットレス用シーツに関し、特に、ボックス状タイプのマットレス用シーツに関する。
【背景技術】
【０００２】
病院用ベッド等で使用されているマットレスには、そのマットレスを覆うようにマットレス用シーツが着脱可能に装着されており、そのようなマットレス用シーツには、シート状タイプのものと、袋状に形成されたボックス状タイプのものとがある。
【０００３】
シート状タイプのマットレス用シーツは、マットレス用シーツの前後・左右の側部をマットレスの下側に押し込んで保持するようになっており、その作業に手間がかかっている。また、就寝者の寝返り等によってマットレス用シーツがずれ易いという問題がある。
【０００４】
ボックス状タイプのマットレス用シーツは、ボックス状の織物布地の一面にマットレスを出し入れする開口部を形成し、開口部の周囲にゴムを取付けた構造のものが多く、開口部の周囲にゴムが有るために折り畳みにくいという問題と、業務用クリーニングを繰り返し行なうことに伴って薬品によりゴムが劣化するという問題とがある。
【０００５】
そこで、業務用クリーニングを繰り返し行なうことに伴なうゴムの劣化や、開口部の周囲にゴムが有ることによる折り畳みにくさを解消したボックス状タイプのマットレス用シーツが提案されており、例えば、下記特許文献１に記載されたものが知られている。
【０００６】
特許文献１に記載されたマットレス用シーツは、全体が伸縮性を有するニット材により形成され、マットレスに装着した場合にマットレスの下側となる面に開口部が形成されている。
【０００７】
したがって、マットレスに対してマットレス用シーツを着脱する場合に開口部が広がるので、開口部からマットレスを出し入れして行なうマットレス用シーツの着脱作業を容易に行なうことができる。また、マットレス用シーツ全体が伸縮するため、１種類のマットレス用シーツを厚さ寸法や平面サイズの異なる各種のマットレスに装着することができる。
【０００８】
しかも、開口部の周囲にゴムを使用していないため、業務用クリーニングを繰り返し行なうことによるゴムの劣化や、ゴムの存在によりマットレス用シーツが折り畳みにくくなるという問題を解決することができる。
【先行技術文献】
【特許文献】
【０００９】
【特許文献１】特開２００６−３２６１７３号公報
【発明の概要】
【発明が解決しようとする課題】
【００１０】
しかしながら、特許文献１に記載されたマットレス用シーツにおいては、以下の点について考慮されていない。
【００１１】
病院用ベッド等で使用されているマットレスを覆うマットレス用シーツは、クリーニング業者などにより定期的にクリーニングされる。
【００１２】
ニット材により形成されているマットレス用シーツは皺になりにくいので、クリーニング後に必ずしもアイロンを掛ける必要はないが、納品状態の外観を考慮して折り畳んで納品している。また、クリーニングされて納品されたマットレス用シーツを保管する場合には、折り畳まれていることが望ましい。
【００１３】
ところで、ニット材は伸縮性を有して折り畳みにくいという特性があるため、ニット材で形成されたマットレス用シーツをクリーニング後に折り畳む作業は、二人一組となった作業者が手作業で行なっている。したがって、ニット材のマットレス用シーツをクリーニング後に折り畳む作業には、多大な手間と時間とがかかっている。
【００１４】
なお、特許文献１に記載されたマットレス用シーツにはエアーマットのパイプを通す部分が設けられていないため、エアーマットにマットレス用シーツを装着する場合には専用のマットレス用シーツを準備する必要がある。
【００１５】
本発明はこのような課題を解決するためになされたもので、その目的は、ニット材により形成されたボックス状タイプのマットレス用シーツをクリーニングして納品等する場合に、多大な手間と時間とがかかる折り畳み作業を省くことができるボックス状タイプのマットレス用シーツを提供することである。
【課題を解決するための手段】
【００１６】
本発明の実施の形態に係る第１の特徴は、直方体形状のマットレスに対しこのマットレスを覆うように着脱可能に装着されるボックス状タイプのマットレス用シーツであって、伸縮可能なニット材により形成され、前記マットレスに装着された場合に、前記マットレスの上面を覆う表面部と、前記マットレスの側面を覆う側面部と、前記マットレスの下面を覆う裏面部とを有するシーツ本体部と、前記裏面部に形成され、前記シーツ本体部に対して前記マットレスを出し入れ可能な開口部と、前記裏面部の内側に設けられ、表裏反転させることにより前記シーツ本体部を収納可能なポケットと、を備えることである。
【発明の効果】
【００１７】
本発明によれば、ボックス状タイプのマットレス用シーツをクリーニングして納品する場合、ポケットを表裏反転させることによりシーツ本体部をポケット内に収納することができ、多大な時間と手間とがかかるマットレス用シーツの折り畳み作業を省くことができる。
【図面の簡単な説明】
【００１８】
【図１】本発明の一実施の形態のマットレス用シーツを、開口部が形成されている側から示す平面図である。
【図２】マットレス用シーツのシーツ本体部の展開図である。
【図３】ポケットの構造を一部を破断して示す平面図である。
【図４】マットレスにマットレス用シーツを装着した状態をマットレスの下面側から示す斜視図である。
【図５】図４におけるＡ−Ａ線断面図である。
【図６】ポケットを表裏反転させてシーツ本体部を収納した状態を示す斜視図である。
【発明を実施するための形態】
【００１９】
以下、本発明の一実施の形態のボックス状タイプのマットレス用シーツ１を、図面を用いて説明する。このマットレス用シーツ１は、例えば、病院用ベッドで使用されている直方体形状のマットレス２に対し、このマットレス２を覆うように着脱可能に装着されるもので、伸縮可能なニット材（編物材）により形成されたシーツ本体部３を有し、このシーツ本体部３に開口部４とポケット５とが設けられている。
【００２０】
シーツ本体部３は、図２に示すように、生地幅寸法“Ｗ”の長尺状のニット材を所定長さ寸法“Ｌ”にカットした中央片６と、長尺状のニット材を切断することにより形成されて中央片６の長さ方向の両端に縫着された一対の縫着片７とにより形成されている。なお、中央片６は、生地幅寸法“Ｗ”の長尺状のニット材を所定長さ“Ｌ”にカットして形成するため、中央片６を形成する場合におけるニット材の無駄が生じない。
【００２１】
そして、中央片６の生地幅方向の両側を折曲線８に沿って折り曲げ、及び、縫着片７を縫着線９に沿って折り曲げ、これらを折り曲げた場合に接する縫着片７の縁部７ａと中央片６の縁部６ａを縫着し、及び、中央片６の縁部６ｂと縁部６ｃとを縫着することにより、シーツ本体部３が形成されている。
【００２２】
また、シーツ本体部３は、図４及び図５に示すようにマットレス２にマットレス用シーツ１を装着した場合に、マットレス２の上面２ａを覆う表面部３ａと、マットレス２の側面（長手方向に沿った一対の側面２ｂ及び短手方向に沿った一対の側面２ｃ）を覆う側面部３ｂと、マットレス２の下面２ｄを覆う裏面部３ｃとを有している。表面部３ａは、中央片６の中央部分により形成され、側面部３ｂは中央片６の一部と縫着片７の一部とにより形成され、裏面部３ｃは中央片６の一部と縫着片７の一部とにより形成されている。
【００２３】
裏面部３ｃの中央部には、マットレス用シーツ１内にマットレス２を出し入れする開口部４が形成されている。この開口部４は、縫着片７における中央片６に縫着されない縁部７ｂと、中央片６における折曲線８に沿って折り曲げられた部分における両端側の縁部６ａに挟まれて縫着片７に縫着されない縁部６ｄとにより囲まれて形成されている。なお、縁部７ｂは、凹状に湾曲した形状に形成されている。
【００２４】
マットレス用シーツ１の四隅（シーツ本体部３の四隅と同じ）には、マットレス２にマットレス用シーツ１を装着した場合に、マットレス２の長手方向の両端側の側面２ｃの端部に対向して位置する開口１０が一つずつ合計４個形成されている。開口１０は、中央片６を折曲線８に沿って折り曲げ、縁部６ｂと縁部６ｃとを縫着した場合に、縁部６ｂ，６ｃの間であって折曲線８の両側部分に位置する縁部６ｅを縫着しないことにより形成されている。
【００２５】
ポケット５は、中央片６における折曲線８に沿って折り曲げられる部分であって、折曲線８に沿って折り曲げた場合に裏面部３ｃの内側となる部分に、開口部４の縁部に近接して設けられている。即ち、ポケット５は、マットレス用シーツ１の長手方向に沿った裏面部３ｃの内側面に、開口部４の縁部に近接して設けられている。
【００２６】
また、ポケット５は、中央片６における折曲線８に沿って折り曲げられる部分であって、折曲線８に沿って折り曲げた場合に裏面部３ｃの内側となる部分に、第１ニット材片１１と第２ニット材片１２とを縫着することにより設けられている。なお、第１ニット材片１１と第２ニット材片１２とはシーツ本体部３と同じニット材により形成されている。
【００２７】
ポケット５を形成する第１ニット材片１１と第２ニット材片１２とは、それぞれ長手方向の両側が丸みを帯びた矩形状に形成され、重ね合わせて配置されている。第１ニット材片１１における開口部４の縁部に向けて延出する弧状をなす一対の辺１１ａ，１１ｂと、第２ニット材片１２における開口部４の縁部にに向けて延出する弧状をなす一対の辺１２ａ，１２ｂとが裏面部３ｃの内側面に縫着されている。さらに、第１ニット材片１１における開口部４の縁部に沿って位置する一方の辺１１ｃと、第２ニット材片１２における開口部４の縁部に沿って位置する一方の辺１２ｄとが裏面部３ｃの内側面に縫着されている。なお、裏面部３ｃの内側面に縫着された第１ニット材片１１の一方の辺１１ｃは開口部４の縁部に近い側に位置する辺であり、裏面部３ｃの内側面に縫着された第２ニット材片１２の一方の辺１２ｄは開口部４の縁部から離れた側に位置する辺であり、辺１１ｃと辺１２ｄとは、上下方向で重ならない側に位置している。
【００２８】
また、ポケット５において、第１ニット材片１１における開口部４の縁部に沿って位置する他方の辺１１ｄと、第２ニット材片１２における開口部４の縁部に沿って位置する他方の辺１２ｃとは裏面部３ｃの内側面に縫着されておらず、これらの辺１１ｄ，１２ｃは凹状に湾曲した形状に形成され、ポケット５の出入口を形成している。
【００２９】
このようなポケット５を表裏反転させることにより、図６に示すように表裏反転させたポケット５内にシーツ本体部３を収納することができる。
【００３０】
このような構成において、マットレス用シーツ１は全体がニット材により形成されて伸縮性を有するため、マットレス２に対してマットレス用シーツ１を着脱する場合には開口部４が広がるので、開口部４からマットレス２を出し入れして行なうマットレス用シーツ１の着脱作業を容易に行なうことができる。また、マットレス用シーツ１が全体として伸縮するため、このマットレス用シーツ１を厚さ寸法や平面サイズの異なる各種のマットレス２に装着することができる。
【００３１】
マットレス用シーツ１の四隅には、マットレス２の長手方向の両端側の側面２ｃの端部に対向して位置する開口１０が一つずつ形成されている。これらの開口１０が形成されていることにより、マットレス２にマットレス用シーツ１を装着した場合、開口１０がマットレス２の厚み方向に開き、マットレス用シーツ１のコーナー部分が外方に飛び出すことが防止される。なお、マットレス用シーツ１を厚み寸法や平面サイズの異なるマットレス２に装着した場合には、そのマットレス２の厚み寸法や平面サイズに応じて開口１０の開き具合が変化し、マットレス２の厚み寸法や平面サイズが異なる場合でもマットレス用シーツ１のコーナー部分が外方に飛び出すことが防止される。
【００３２】
また、マットレス用シーツ１の四隅に開口１０が形成されていることにより、マットレス用シーツ１の内側の隅部にゴミが入り込んだ場合には、そのゴミを開口１０から簡単に取り出すことができる。
【００３３】
さらに、開口１０の位置が、マットレス２の長手方向の両端側の側面２ｃに対向する位置であるため、この開口１０はベッドの長手方向の両端側に位置する側板等で塞がれてベッドの通常使用時には見えなくなる。これにより、マットレス用シーツ１の外周部に開口１０が見え、その開口１０がベッドの外観を損ねるということを防止することができる。
【００３４】
また、マットレスとして床ずれ防止機能を備えたエアーマットに対してボックス状タイプのシーツを装着する場合に、このマットレス用シーツ１を使用することができる。それは、このマットレス用シーツ１の四隅に開口１０が形成されているため、これらの開口１０のいずれかをエアーマットに対して空気の出し入れを行なうパイプを通すために利用できるからである。したがって、このマットレス用シーツ１を、通常のマットレス２又はエアーマットを覆うボックス状タイプのシートとして兼用することができ、通常のマットレス２に装着するボックス状タイプのシーツとエアーマットに装着するボックス状タイプのシーツとの２つを別個に準備する必要がなくなる。
【００３５】
つぎに、クリーニング業者等がマットレス用シーツ１をクリーニングして納品する場合等には、マットレス用シーツ１を折り畳むことなく、ポケット５を表裏反転させるとともにシーツ本体部３をポケット５内に収納し、図６に示すような枕形状とすることができる。
【００３６】
したがって、クリーニングしたマットレス用シーツ１を納品するためにマットレス用シーツ１を折り畳む作業に比べて、図６に示すようにシーツ本体部３をポケット５内に収納して枕形状とする作業は、手間と時間とを大幅に削減することができる。さらに、シーツ本体部３をポケット５内に収納して納品されたマットレス用シーツ１の保管を、納品された状態のまま手間をかけず行なうことができる。
【００３７】
なお、ニット材で形成されているマットレス用シーツ１は皺になりにくいため、図６に示したような収納状態からマットレス用シーツ１を拡げた場合にもマットレス用シーツ１には皺がほとんど発生せず、マットレス２に装着したマットレス用シーツ１に皺が付くという問題は生じにくい。
【００３８】
また、図６に示すようにシーツ本体部３をポケット５内に収納した場合、シーツ本体部３を出し入れするポケット５の出入口は、第１ニット材片１１と第２ニット材片１２とが重なり合って蓋の役目を果たすため、ポケット５の出入口にファスナーやホックを設けることなくポケット５内に収納されたシーツ本体部３がポケット５の出入口から外に飛び出すということを防止することができる。そして、マットレス用シーツ１にファスナーやホックなどを設けずマットレス用シーツ１の全体を同一素材のみで形成することにより、マットレス用シーツ１のクリーニング性を向上させることができる。
【００３９】
さらに、ポケット５の出入口を形成する第１ニット材片１１の一方の辺１１ｄと第２ニット材片１２の一方の辺１２ｃとが凹状に湾曲する形状に形成されているため、シーツ本体部３をポケット５に出し入れする場合のポケット５の出入口の開口幅を大きくすることができ、シーツ本体部３をポケット５に出し入れする作業を容易にすることができる。
【００４０】
また、マットレス２にマットレス用シーツ１を装着した場合において、ポケット５はマットレス２の下側に位置するため、ベッドの通常使用時にはポケット５が見えたりポケット５の部分が盛り上がったりせず、ベッドの外観が損なわれたり、ベッドの使い心地が悪くなるということが生じない。
【００４１】
なお、本実施の形態では、ポケット５をシーツ本体部３の長手方向に沿った裏面部３ｃの内側の一箇所にのみ設けた場合を例に挙げて説明したが、ポケット５を裏面部３ｃの内側の二箇所以上の箇所に設けてもよい。ポケット５を二箇所以上設けることにより、シーツ本体部３をポケット５に収納する作業の効率を高めることができる。
【符号の説明】
【００４２】
１      マットレス用シーツ
２      マットレス
２ａ    マットレスの上面
２ｂ、２ｃ  マットレスの側面
２ｄ    マットレスの下面
３      シーツ本体部
３ａ    表面部
３ｂ    側面部
３ｃ    裏面部
４      開口部
５      ポケット
１１      第１ニット材片
１１ａ，１１ｂ  一対の辺
１１ｃ    一方の辺
１１ｄ    他方の辺
１２      第２ニット材片
１２ａ，１２ｂ  一対の辺
１２ｃ    他方の辺
１２ｄ    一方の辺
【図１】
2010273829.tif 000003
【図２】
2010273829.tif 000004
【図３】
2010273829.tif 000005
【図４】
2010273829.tif 000006
【図５】
2010273829.tif 000007
【図６】
2010273829.tif 000008